(57)【特許請求の範囲】
【請求項１】
洗浄水によって大便器本体を洗浄する水洗大便器装置であって、
汚物を受け止めるボウル部を有しており、前記洗浄水として供給される水を前記ボウル部に導くための導水路が内部に形成された大便器本体と、
内部に水を貯留しており、当該水を前記導水路の入口に供給することができるように前記大便期本体の後方側上部に配置されたタンクと、
前記タンクの内部に配置されるジェットポンプユニットと、を備え、
前記ジェットポンプユニットは、
一端が前記導水路の入口に接続され、他端には吸引口が形成されているスロート管と、
前記吸引口から前記スロート管の内部に向けて高速の水を噴射することにより、ジェットポンプ作用を誘発させるノズルと、を有しており、
前記スロート管は、
前記吸引口から上方に向けて伸びる上昇部と、
前記上昇部の下流側に配置された屈曲部と、
前記屈曲部の下流側に配置され、前記屈曲部から下方に向かって伸びる下降部とを有しており、全体が逆Ｕ字形状となるように形成され、
前記タンクの水を前記導水路の入口に供給する際は、前記スロート管が満管状態となりサイホン現象が発生するよう構成されており、
前記タンク内には、前記タンクに水を貯留するタンク貯水工程時において、前記タンクへの貯水を止めるための基準となる止水位置が定められており、
前記スロート管は、前記止水位置よりも上方においてタンク内の水を排出する開口が設けられたオーバーフロー管を有し、
さらに前記スロート管は、前記オーバーフロー管を接続するための接続部を前記下降部に有し、
前記タンク貯水工程時においてサイホン現象が継続することを防止するサイホン停止手段を有しており、
前記サイホン停止手段は、前記スロート管を通過する水を前記スロート管の内壁から剥離させる剥離部を有し、
前記剥離部は、前記下降部に設けられ、且つ前記接続部よりも上流側に設けられることを特徴とする水洗大便器装置。
【請求項２】
前記剥離部は、前記剥離部より上流側の前記下降部の流路断面積よりも前記剥離部が設けられる前記スロート管の流路断面積を拡大する段部であることを特徴とする請求項１に記載の水洗大便器装置。
【請求項３】
前記段部は、下流側に向かうに連れて前記段部が設けられる前記スロート管の流路断面積が大きくなるよう構成されることを特徴とする請求項２に記載の水洗大便器装置。
【請求項４】
前記スロート管とは別体で且つ前記スロート管に挿入する内装部材を備え、
前記内装部材は、前記サイホン停止手段を有することを特徴とする請求項１乃至３の何れか１項に記載の水洗大便器装置。
【請求項５】
前記剥離部は前記内装部材に形成された切欠きにより形成される請求項４に記載の水洗大便器装置。
【発明の詳細な説明】
【技術分野】
【０００１】
本発明は、洗浄水によって大便器本体を洗浄する水洗大便器装置に関する。
【背景技術】
【０００２】
従来、大便器本体に洗浄水を供給するための機構として、タンク式や直圧式の給水機構を用いた水洗大便器装置が広く普及している。
【０００３】
タンク式の給水機構は、タンク内に予め水を貯留しておき、当該水を洗浄水として大便器本体に供給するものである。このようなタンク式の給水機構においては、洗浄水として供給する水の全てをタンク内に貯留しておく必要があるため、水洗大便器装置に搭載するタンクが大型化してしまうという課題があった。
【０００４】
また、大便器本体の洗浄が完了した後は、次回の洗浄のためにタンクを満水位としておく必要があるが、大型のタンクに水を注水して満水位とするには時間がかかってしまう。このため、タンク式の給水機構では連続的な（短時間毎の）洗浄を行うことが難しく、水洗大便器装置が高い頻度で使用されるような状況には適さないという課題があった。
【０００５】
直圧式の給水機構は、建物に配置された給水配管（水道管）内の水圧を利用して、給水配管から大便器本体に洗浄水を供給するものである。このような直圧式の給水機構においては、洗浄水の流量は給水配管内の水圧に依存するため、当該水圧が低い環境（例えば高層階）に水洗大便器装置が設置された場合には、洗浄性能が低下してしまうという課題があった。また、直圧式の給水機構によって大流量の水を供給可能とするには、水洗大便器装置に接続される給水配管を大口径とする必要がある。このため、大掛かりな工事を必要とするという課題があった。
【０００６】
以上のようなタンク式の給水機構における課題、及び直圧式の給水機構における課題の両方を、同時に解決することのできる給水機構として、ジェットポンプ式の給水機構が新たに提案されている（下記特許文献１を参照）。
【０００７】
下記特許文献１に記載されたジェットポンプ式の給水機構は、水を貯留したタンクを備えており、当該タンクの内部に、ジェットポンプユニットが水没した状態で配置されている。ジェットポンプユニットはスロート管を有しており、当該スロート管の一端は大便器本体のボウル部に向かう流路に接続され、他端には開口が形成されている。噴射ノズルから、開口を通じてスロート管の内部に向かうように水が噴射されると、ジェットポンプ作用が誘発されることによって、スロート管の内部ではボウル部に向かって大流量の水が流れる。噴射ノズルから噴射された水のみならず、タンク内に貯留されていた水も引き込まれてスロート管の内部を流れるため、大便器本体には大流量の洗浄水が供給される。
【０００８】
ジェットポンプ式の給水機構においては、洗浄水として大便器本体に供給する水の全てをタンク内に貯留しておく必要がない。このため、タンク式の給水機構に比べてタンクを小型化することができる上、タンクを満水位にするために必要な時間を短くすることができるという利点がある。また、給水配管内の水圧が比較的低い環境に水洗大便器装置が設置された場合であっても、大流量の洗浄水を大便器本体に供給することができる。更に、給水配管を大口径とするような大掛かりな工事を必要としないという利点もある。
【先行技術文献】
【特許文献】
【０００９】
【特許文献１】特開２００４−１５６３８２号公報
【発明の開示】
【発明が解決しようとする課題】
【００１０】
上記特許文献１に記載された水洗大便器装置は、上述した通り、ジェットポンプ式の給水機構を用いることで、洗浄水として大便器本体に供給する水の全てをタンク内に貯留しておく必要がなく、タンクを小型化することができるが、大便器本体よりも後方側にタンクを設けてしまうと、水洗大便器装置本体の前出寸法が長くなり、水洗大便器装置が設置されるトイレ空間で使用者が移動することができる範囲が狭くなってしまう。
【００１１】
さらに、タンクの小型化や水洗大便器装置の前出寸法を小さくするために、タンク内の水を大便器本体に供給するためのスロート管が屈曲するような逆Ｕ字形状のスロート管を使用すると、タンクから大便器本体に水を供給する際にスロート管が満管状態になるとサイホン現象が発生し、大流量の水が大便器本体に供給されるという利点はあるが、タンク内に水を貯水するタンク貯水工程時においてもサイホン現象が継続してしまい、大便器本体に水が供給され続けてしまう恐れがある。
【００１２】
本発明はこのような課題に鑑みてなされたものであり、その目的は、逆Ｕ字形状のスロート管を使用することでタンクを大便器本体の後方上部に配置することができるようになった水洗大便器装置であって、水洗大便器装置の前出寸法を小さくすることができ、且つタンク貯水工程時にサイホン現象が継続し、大便器本体に水が供給され続けることを防止できる水洗大便器装置を提供することにある。
【課題を解決するための手段】
【００１３】
上記課題を解決するために、本発明に係る水洗大便器装置は、洗浄水によって大便器本体を洗浄する水洗大便器装置であって、汚物を受け止めるボウル部を有しており、前記洗浄水として供給される水を前記ボウル部に導くための導水路が内部に形成された大便器本体と、内部に水を貯留しており、当該水を前記導水路の入口に供給することができるように前記大便期本体の後方側上部に配置されたタンクと、前記タンクの内部に配置されるジェットポンプユニットと、を備え、前記ジェットポンプユニットは、一端が前記導水路の入口に接続され、他端には吸引口が形成されているスロート管と、前記吸引口から前記スロート管の内部に向けて高速の水を噴射することにより、ジェットポンプ作用を誘発させるノズルと、を有しており、前記スロート管は、前記吸引口から上方に向けて伸びる上昇部と、前記上昇部の下流側に配置された屈曲部と、前記屈曲部の下流側に配置され、前記屈曲部から下方に向かって伸びる下降部とを有しており、全体が逆Ｕ字形状となるように形成され、前記タンクの水を前記導水路の入口に供給する際は、前記スロート管が満管状態となりサイホン現象が発生するよう構成されており、前記タンク内には、前記タンクに水を貯留するタンク貯水工程時において、前記タンクへの貯水を止めるための基準となる止水位置が定められており、前記スロート管は、前記止水位置よりも上方においてタンク内の水を排出する開口が設けられたオーバーフロー管を有し、さらに前記スロート管は、前記オーバーフロー管を接続するための接続部を前記下降部に有し、前記タンク貯水工程時においてサイホン現象が継続することを防止するサイホン停止手段を有しており、前記サイホン停止手段は、前記スロート管を通過する水を前記スロート管の内壁から剥離させる剥離部を有し、前記剥離部は、前記下降部に設けられ、且つ前記接続部よりも上流側に設けられることを特徴とする。
【００１４】
第一の発明は、水洗大便器装置にジェットポンプユニットを用いることで小型化ができたタンクを大便器本体の後方側上部に配置することで水洗大便器装置の前出寸法を小さくすることができるようになった。そのため水洗大便器装置が設置されるトイレ空間の水洗大便器装置の前方側の空間を広くすることができ、使用者が移動することができる範囲を広くすることが出来るようになった。
【００１５】
また、逆Ｕ字形状のスロート管を用いることで、タンクに貯留される水を大便器本体に供給する際に、スロート管が水で満たされる満管状態になるとサイホン現象が発生し、大流量の水を大便器本体に供給することができる。
【００１６】
サイホン現象が継続している状態から、タンク貯水工程に移行した場合、サイホン現象が継続してしまうことで、大便器本体の洗浄が終了しているのにも関わらず水が供給され続けてしまうが、スロート管の下降部で且つ接続部よりも上流側にサイホン停止手段の剥離部を設けることで、タンク貯水工程中にスロート管を通過する水が剥離部を通過する際にスロート管の内壁から剥離し、この剥離が発生した領域にオーバーフロー管からの空気が流入し、スロート管の満管状態を解除し、サイホン現象を停止させることができる。このようにタンク貯水工程に移行すると、サイホン現象を停止することができるため、大便器本体に水が供給され続けることを防止できる。
【００１７】
第二の発明の前記剥離部は、前記剥離部より上流側の前記下降部の流路断面積よりも前記剥離部が設けられる前記スロート管の流路断面積を拡大する段部であることを特徴とする。
【００１８】
スロート管の内部を通過する水をスロート管の内壁から剥離させる方法として、下降部に可動部材を設けて、その可動部材が動くことによって水流を剥離させてサイホン現象を停止することも考えられるが、可動部材などを設けると、タンクから大便器本体に水を供給する際に圧損となってしまい、大便器本体に供給する瞬間流量が低下してしまう。そこで、段部より上流側のスロート管の流路断面積よりも段部が設けられるスロート管の流路断面積の方が大きくなるよう構成することで、可動部材を用いた場合に比べてタンクから大便器本体に水を供給する際の圧損を低くでき、さらに、タンク貯水工程では、流路断面積が大きくなる位置で水とスロート管の内壁とが剥離し、剥離した領域にオーバーフロー管からの空気が流入することでサイホン現象を停止することができる。
【００１９】
前記段部は、下流側に向かうに連れて前記段部が設けられる前記スロート管の流路断面積が大きくなるよう構成されることを特徴とする。
【００２０】
タンク貯水工程が開始されてから大便器本体に供給される水は、大便器本体の洗浄には寄与しない水であり、無駄水である。そのため、タンク貯水工程が開始されると瞬時にサイホン現象を停止させることが好ましい。そこで、段部を下流側に向かうに連れて段部が設けられるスロート管の流路断面積が大きくなるよう構成することで、スロート管の内壁から剥離される水の流れの範囲も下流側に向かうに連れて大きくなるため、オーバーフロー管から剥離した範囲に入る空気の量を多くすることができる。そのため、タンク貯水工程中にサイホンが継続する時間を短縮することができ、タンク貯水工程中に大便器本体に供給される無駄水の量を少なくすることができる。
【００２１】
第四の発明の前記スロート管は、前記スロート管とは別体で且つ前記スロート管に挿入する内装部材とから構成され、前記内装部材は、前記サイホン停止手段を有することを特徴とする。
【００２２】
スロート管を、スロート管に挿入する内装部材とから構成し、内装部材にサイホン停止手段を有するように構成することで、スロート管を成形する際に複雑な工程を有することなく、内装部材をスロート管に挿入することのみでタンク貯水工程時にサイホン現象を停止することができる。
【発明の効果】
【００２３】
本発明によれば、逆Ｕ字形状のスロート管を使用することでタンクを大便器本体の後方上部に配置することができるようになった水洗大便器装置であって、水洗大便器装置の前出寸法を小さくすることができ、且つタンク貯水工程時にサイホン現象が継続し、大便器本体に水が供給され続けることを防止できる水洗大便器装置を提供することができる。
【図面の簡単な説明】
【００２４】
【図１】本発明に係る水洗大便器装置を示す断面図である。
【図２】図１に示した水洗大便器装置の上面図である。
【図３】図１に示した水洗大便器装置のタンクの内部を示す図である。
【図４】内装部材４００の斜視図およびスロート管３２０の断面図である
【図５】大便器本体１０に水を供給する際の水の流れを表す模式図である。
【図６】サイホン現象のみの水をスロート管３２０の内壁から剥離させる際の模式図である。
【図７】サイホン現象が停止した後の水の流れを表す模式図である。
【発明を実施するための形態】
【００２５】
以下、添付図面を参照しながら本発明の実施の形態について説明する。説明の理解を容易にするため、各図面において同一の構成要素に対しては可能な限り同一の符号を付して、重複する説明は省略する。
【００２６】
本発明の第一実施形態に係る水洗大便器装置ＦＴについて、図１及び図２を参照しながら説明する。図１は水洗大便器装置ＦＴの断面図であって、水洗大便器装置ＦＴをその左右方向に垂直な面で切断した場合の断面を示している。図２は水洗大便器装置ＦＴの上面図である。図２では、後に説明するタンク２０の内部構造を示すため、タンク２０の上蓋２０１を取り外した状態を描いている。
【００２７】
図１及び図２に示したように、水洗大便器装置ＦＴは、大便器本体１０と、大便器本体１０の後方側（図１では右側、図２では上側）上部において大便器本体１０の上面１０１に設置されたタンク２０とを備えている。水洗大便器装置ＦＴは、大便器本体１０によって汚物を受け止めて、当該汚物を、タンク２０から供給される水（洗浄水）によって排水管ＳＷに排出する装置である。
【００２８】
尚、以下の説明においては、特に断らない限り、大便器本体１０に着座した状態の使用者から見て右側（図２では左側）のことを「右側」と称し、大便器本体１０に着座した状態の使用者から見て左側のことを「左側」（図２では右側）と称することとする。また、大便器本体１０に着座した状態の使用者から見て前方側（図１では左側、図２では下側）のことを「前側」又は「前方側」と称し、大便器本体１０に着座した状態の使用者から見て後方側（図１では右側、図２では上側）のことを「後側」又は「後方側」と称することとする。
【００２９】
大便器本体１０は、ボウル部１１０と、リム部１２０と、導水路１３０と、排水トラップ管路１４０とを有している。ボウル部１１０は、上方から落下する汚物を一時的に受け止める部分である。リム部１２０は、ボウル部１１０の上縁部に形成されており、図１に示したように、ボウル部１１０の内側面の一部を外周側に向けて後退させたような形状となっている。後に説明するように、リム部１２０は、ボウル部１１０に向けて供給された水が旋回して流れる流路となっている。リム部１２０は、ボウル部１１０の上縁に沿って一周するような略円形（上面視）の流路として形成されている。
【００３０】
導水路１３０は、タンク２０から供給された水をボウル部１１０に導くために、大便器本体１０の内部に形成された流路である。導水路１３０は、その一端が大便器本体１０の上面１０１に開口しており、タンク２０から供給される水の入口１３１となっている。入口１３１が形成されている位置は、大便器本体１０の上面１０１のうち後方側の部分であり、且つ左右方向における中央の部分である。
【００３１】
導水路１３０は、その下流側において二つの流路（第一導水路１３２、第二導水路１３４）に分岐している。一方の流路である第一導水路１３２は、その下流側の端部がリム部１２０のうち右側の部分において開口しており、当該開口が水の出口（吐水部１３３）となっている。タンク２０から入口１３１に水が供給されると、その一部は第一導水路１３２の内部を通り、吐水部１３３から噴出してリム部１２０に供給される。
【００３２】
他方の流路である第二導水路１３４は、その下流側の端部がリム部１２０のうち左側且つ後方寄りの部分において開口しており、当該開口が水の出口（吐水部１３５）となっている。タンク２０から入口１３１に水が供給されると、その一部は第二導水路１３４の内部を通り、吐水部１３５から噴出してリム部１２０に供給される。
【００３３】
吐水部１３３から水が噴出する方向は、略円形の流路として形成されたリム部１２０の円周に沿う方向であり、且つ上面視において反時計回りの方向となっている。吐水部１３５から水が噴出する方向も、略円形の流路として形成されたリム部１２０の円周に沿う方向であり、且つ上面視において反時計回りの方向となっている。図２において矢印で示したように、吐水部１３３及び吐水部１３５からリム部１２０に噴出した水は、いずれもリム部１２０に沿って反時計回りに旋回して流れながら、リム部１２０の全体からボウル部１１０に向けて流下する。
【００３４】
排水トラップ管路１４０は、ボウル部１１０の下端と排水管ＳＷとを接続する流路である。排水トラップ管路１４０は、ボウル部１１０の下端から下流に向かう方向に沿って上り勾配となるように形成されている上昇流路１４１と、上昇流路１４１の上端から下流に向かう方向に沿って下り勾配となるように形成されている下降流路１４２とを有している。このような構成により、ボウル部１１０の下部から上昇流路１４１の下部に亘る部分には水を貯留することが可能となっており、貯留した水によって封水ＷＴが形成されている。下降流路１４２の下端には排水管ＳＷが接続されている。排水管ＳＷは建物の内部に配置された配管であって、その下流側の端部が不図示の下水管に接続されている。
【００３５】
タンク２０からボウル部１１０に向けて水が供給されると、上記のように、当該水はリム部１２０を旋回して流れながら、リム部１２０の全体からボウル部１１０に向けて流下する。水はボウル部１１０に対して上方から追加され、ボウル部１１０の下端部から上昇流路１４１及び下降流路１４２を通って排出される。その結果、ボウル部１１０に貯留されている水（封水ＷＴ）には下向きの流れが生じることとなる。
【００３６】
ボウル部１１０において一時的に受け止められていた汚物は、上方のリム部１２０から供給される水によって下方に向けて押し込まれ、ボウル部１１０の下端に向かって移動する。その後、汚物は水流によって上昇流路１４１を通り下降流路１４２に到達して、水と共に排水管ＳＷに向けて落下する。
【００３７】
タンク２０は内部に水が貯留された容器であって、当該水を導水路１３０の入口１３１に供給するためのものである。タンク２０は、第一タンク部２１０と、第一タンク部２１０の底壁２１１の一部を下方に伸ばすように形成された第二タンク部２２０とを有している。第一タンク部２１０と第二タンク部２２０はいずれも略直方体の容器であって、両者の内部空間が互いに連通している。第二タンク部２２０は、第一タンク部２１０の底壁２１１のうち後方側の部分に接続されている。
【００３８】
第一タンク部２１０の底壁２１１（第二タンク部２２０よりも前方側の部分）は、大便器本体１０の上面１０１のうち後方側の部分に対して上方から近接した状態となっている。具体的には、大便器本体１０の上面１０１のうち後方側の部分には入口１３１が形成されているが、第一タンク部２１０の底壁２１１は、入口１３１の周囲を上方から覆うように、大便器本体１０の上面１０１に対して上方から近接した状態となっている。また、底壁２１１には入口１３１と略同一形状の開口２１２が形成されており、開口２１２と入口１３１とが上面視で重なっている。このため、タンク２０の内部に貯留されている水は、開口２１２及び入口１３１を通って導水路１３０の内部に流入し、ボウル部１１０に向かって流れることが可能となっている。
【００３９】
第一タンク部２１０を上記のように配置した結果、第二タンク部２２０は大便器本体１０よりも後方に位置している。すなわち、大便器本体１０の後方側端部よりも更に後方側に位置した状態となっている。また、第二タンク部２２０の底壁２２１は、大便器本体１０の上面１０１よりも低い位置に配置されている。
【００４０】
上記のようにタンク２０が配置されることにより、タンク２０の前端部が、大便器本体１０の後端部よりも前方側に位置している。また、タンク２０の下端部が、大便器本体１０の上面１０１よりも下方側に位置している。その結果、水洗大便器装置ＦＴ全体の前後方向における寸法と、上下方向における寸法とが、いずれも小さくなっており、水洗大便器装置ＦＴのデザイン性が向上している。
【００４１】
次に、タンク２０の内部の構成について説明する。図３は、水洗大便器装置ＦＴを後方側から見た場合における、タンク２０の内部を示す斜視図である。図３に示したように、タンク２０の内部には、給水管２３１と、主弁２３３と、パイロット弁２３４と、ジェットポンプユニット３００とが配置されている。
【００４２】
給水管２３１は、主弁２３３に向けて水を供給するための管であって、第二タンク部２２０の底壁２２１から鉛直上方に向かって伸びるように配置されている。給水管２３１の下端は、タンク２０の外部において不図示の水道管に接続されている。また、給水管２３１の上端は、タンク２０の内部において主弁２３３に下方から接続されている。給水管２３１は、タンク２０の内部のうち左右方向における中央よりも左側となる位置に配置されている。
【００４３】
給水管２３１の途中（水道管と主弁２３３との間）には、図３では図示しない定流量弁２３２が配置されている。主弁２３３が開いた状態において主弁２３３に流入する水の流量は定流量弁２３２によって一定となり、水道管内の水圧によって変動することがない。
【００４４】
主弁２３３は開閉弁であって、給水管２３１からジェットポンプユニット３００に向かう水の流路の開閉を行うものである。主弁２３３とジェットポンプユニット３００との間にはバキュームブレーカー２３５が備えられており、バキュームブレーカー２３５の上流側が負圧となって水が逆流してしまうことが防止されている。尚、上記のように給水管２３１が上方に向かって伸びており、主弁２３３とバキュームブレーカー２３５とはタンク２０内の高い位置に配置されている。このため、タンク２０の水位が満水位となった状態においても、バキュームブレーカー２３５が水没してしまうことはない。
【００４５】
主弁２３３にはパイロット弁２３４が備えられており、パイロット弁２３４の動作によって主弁２３３の開閉が切り替えられる構成となっている。パイロット弁２３４には、タンク２０の外側に配置された手動レバー２３６が、タンク２０の内部に配置された伝達機構２３７を介して接続されている。また、パイロット弁２３４には、タンク２０の内部に配置されたフロート２３８が更に接続されている。
【００４６】
水洗大便器装置ＦＴの使用者によって手動レバー２３６が操作されると、当該操作が伝達機構２３７を介してパイロット弁２３４に伝達され、パイロット弁２３４が開かれる。これにより主弁２３３が開かれた状態となり、給水管２３１からジェットポンプユニット３００に向かって水が流れる。後に説明するように、ジェットポンプユニット３００に向かって流れた水は、タンク２０の内部に貯留されていた水と共に洗浄水として導水路１３０に供給される。このため、タンク２０の内部における水位は次第に低下していく。
【００４７】
ボウル部１１０の洗浄が終了した後も、主弁２３３は閉じられず、給水管２３１からジェットポンプユニット３００に向かって引き続き水が流れる。ジェットポンプユニット３００に向かって流れた水はタンク２０の内部に供給されて、次回の洗浄のために貯留される。タンク２０の内部に向けた水の供給（タンク２０への注水）が行われると、タンク２０の内部における水位は次第に上昇して行く。タンク２０の内部においてパイロット弁２３４に接続されているフロート２３８は、水位の上昇に伴って上昇し、これによりパイロット弁２３４が閉じられる。
【００４８】
このように、タンク２０の内部における水位が上昇すると、フロート２３８が受ける浮力の変化によってパイロット弁２３４が閉じられる。パイロット弁２３４が閉じられると、主弁２３３が閉じられた状態となり、給水管２３１からジェットポンプユニット３００への水の供給が停止される。この時点においてタンク２０の内部に貯留されている水の量が、次回の洗浄のために必要な量となるように（所定の満水位となるように）、フロート２３８の配置が調整されている。
【００４９】
ジェットポンプユニット３００は、給水管２３１から供給された水によりジェットポンプ作用を誘発させ、これにより導水路１３０に向けた水の供給を行うためのものである。ジェットポンプユニット３００は、ノズル３１０と、スロート管３２０とを有している。
【００５０】
ノズル３１０は、一端が接続管２３９を介してバキュームブレーカー２３５に接続されており、他端には噴射口３１１が形成されている管である。ノズル３１０は、第二タンク部２２０の底壁２２１の近傍に配置されている。主弁２３３が開かれると、給水管２３１から供給された水は接続管２３９を流れてノズル３１０に到達し、噴射口３１１から高速の水流として噴射される。ノズル３１０は、第二タンク部２２０のうち後方側且つ右側の隅（上面視における隅）に配置されている。図３に示したように、ノズル３１０はＵ字形状となっており、その下流側が上記隅から折り返されている。噴射口３１１は、その噴射方向がスロート管３２０の内部に向けられている。
【００５１】
スロート管３２０は断面が円形の管であって、底壁２１１に形成された開口２１２を一部が貫通した状態で、タンク２０の内部に配置されている。スロート管３２０の一端は導水路１３０の入口１３１に接続されており、他端には開口である吸引口３２１が形成されている。スロート管３２０は、導水路１３０の入口１３１側の部分が鉛直方向に沿っており、吸引口３２１側の部分が水平面に対して傾斜している。このため、その全体が逆Ｕ字形状となっている。図２に示したように、スロート管３２０は、上面視において前後方向に対して傾斜した状態で、タンク２０の内部に配置されている。
【００５２】
スロート管３２０の具体的な形状について更に詳しく説明する。スロート管３２０は、吸引口３２１から斜め上方に向けて伸びる上昇部３２２と、上昇部３２２の下流側（上側）に配置された屈曲部３２３と、屈曲部３２３の下流側（下側）に配置され、屈曲部３２３から下方に向かって伸びる下降部３２４とを有している。
【００５３】
スロート管３２０は、タンク２０に水を貯めるタンク貯水時に、タンク２０の水が満水位置を超えて異常水位になるとタンク２０内の水を導水路１３０に導くオーバーフロー管３３０を下降部３２４に設けている。
【００５４】
上昇部３２２は、その管径が全体において均一な円筒形状の管であって、水平面に対して傾斜した状態で配置されている。吸引口３２１は上昇部３２２の下端に形成されている。吸引口３２１は、その縁の全体が水平面に沿うように（水平面と平行になるように）形成されている。
【００５５】
下降部３２４は、その管径が全体において均一な円筒形状の管であって、鉛直方向に沿って配置されている。下降部３２４の上流側の管径は、上昇部３２２の下流側の管径よりも大きい。屈曲部３２３のうち上昇部３２２側の管径は、上昇部３２２の管径に等しい。また、屈曲部３２３のうち下降部３２４側の管径は、下降部３２４の管径に等しい。このため、管径が互いに異なる上昇部３２２と下降部３２４とが、屈曲部３２３によって滑らかに繋がれているということができる。
【００５６】
図４を参照して、サイホン停止手段５００およびスロート管３２０の説明を行う。図４ａはスロート管３２０に挿入する内装部材４００の斜視図である。図４ｂは内装部材４００をスロート管３２０に挿入した際の断面図である。
【００５７】
内装部材４００は、筒形状に形成されており、タンク貯水工程時にサイホン現象を停止させるためのサイホン停止手段５００を有している。
【００５８】
サイホン停止手段５００は、内装部材４００の一部に切欠きを設けることでタンク貯水工程時にスロート管３２０の内部を通過するスロート管３２０の内壁から剥離させるための剥離部５１０を有している。
【００５９】
剥離部５１０は、上流側から下流側（図４ａの上方側から下方側）に向かって切欠きが広がるように構成されている。
【００６０】
次に、内装部材４００をスロート管３２０に挿入した際について図４ｂを参照して説明する。
【００６１】
スロート管３２０はオーバーフロー管３３０を接続するための接続部３２５を有している。このスロート管３２０に内装部材４００を図４ｂのように挿入し、固定する。
【００６２】
スロート管３２０と内装部材４００とを固定した際に、内装部材４００に設けられるサイホン停止手段５００の剥離部５１０がスロート管３２０の下降部３２４に配置され、さらに接続部３２５よりも上流側となるように配置される。
【００６３】
剥離部５１０は、左右方向の幅（図４ｂの点線で表す幅）も上流側から下流側に向かって広がるように構成されている。
【００６４】
スロート管３２０に切欠きの幅が広がる剥離部５１０を有する内装部材４００を挿入することで、スロート管３２０の流路断面積は、剥離部５１０の上流側の流路断面積よりも剥離部５１０が設けられるスロート管３２０の流路断面積が大きくなり、さらに上流側から下流側に向かうに連れて剥離部５１０が設けられるスロート管３２０の流路断面積が大きくなるように構成されている。
【００６５】
次に図５から７を参照して、タンク２０から大便器本体１０に水が供給されている状態からタンク貯水工程時にサイホン現象が停止するまでの過程を説明する。
【００６６】
図５のように、タンク２０に貯められた水に水没している状態の吸引口３２１にノズル３１０から水を噴射することで、ノズル３１０からの水によってジェットポンプ作用を誘発しながらスロート管３２０に水が進入する。スロート管３２０の内部に進入した水によってスロート管３２０が満管状態（満水状態）になるとサイホン現象が発生し、大便器本体１０に大流量の水が供給される。
【００６７】
図６はサイホン現象のみの水をスロート管３２０の内壁から剥離させる際の模式図である。図６のように、ノズル３１０からの水の噴射が終了したタンク貯水工程時においても、ノズル３１０から水を噴射している際に発生したサイホン現象が継続してしまう。より具体的に説明すると、タンク貯水工程に移行するとタンク２０の内部に水が供給されるため、吸引口３２１が水没した状態が継続されてサイホン現象が継続してしまう。タンク貯水工程時にタンク２０に供給される水をＴＷで表す
【００６８】
このようにサイホン現象が発生している状態からタンク貯水工程に移行した場合、サイホン現象が継続してしまうが、スロート管３２０の下降部３２４で且つ接続部３２５より上流側に剥離部５１０を設けることで、タンク貯水工程中にスロート管３２０を通過する水が剥離部５１０を通過する際にスロート管３２０の内壁から剥離し、この剥離が発生した領域にオーバーフロー管３３０から空気が流入し、スロート管３２０の満管状態を解除し、サイホン現象を停止させることができる。
【００６９】
剥離部５１０によって剥離する現象を更に詳しく説明すると、剥離部５１０の上流側の流路断面積よりも剥離部５１０が設けられるスロート管の流路断面積の方が大きいため、流路断面積の小さい流路から流路断面積が大きくなるため、流路の壁面から剥離することになる。
【００７０】
図６ｂは剥離部５１０によって水が剥離する領域が広くなることを表す図である。図６ｂは下流側から見たスロート管３２０および内装部材４００を表す。
【００７１】
剥離部５１０は上流側から下流側に向かって切欠きの幅が広がるように構成されているため、図６ｂのように、水が剥離する領域が広くなる。より具体的には、最上流側に設けられた剥離部５１０によって剥離した水の流れＨＬ１で示し下流側での剥離した水の流れをＨＬ２，ＨＬ３、ＨＬ４（破線）で表す。このように、上流側から下流側に向かうに連れて剥離する領域を広くすることができる。
【００７２】
このように剥離部５１０が設けられるスロート管３２０の流路断面積が下流側に向かうに連れて大きくなるようにすることで、剥離する領域が広くなり、オーバーフロー管３３０から流入する空気の量を多くすることができ、タンク貯水工程に移行した後にサイホン現象が停止するまで短い時間で行うことができる。
【００７３】
図７を参照してサイホン現象が停止した後の水の流れを説明する。サイホン現象が停止した後は、オーバーフロー管３３０から流入した空気が屈曲部３２３側へ移動し、屈曲部３２３よりも上流側の水はタンク２０側に戻り、屈曲部３２３よりも下流側の水は大便器本体１０に供給される。
【００７４】
以上説明したように、サイホン停止手段５００の剥離部５１０を設けることでタンク貯水工程時には図６および図７のような水の流れとなり、サイホン現象を停止させることができる。
【００７５】
サイホン停止手段５００の剥離部５１０を有する内装部材４００をスロート管３２０に挿入することでサイホン現象を停止する説明を行ったが、スロート管３２０自体にサイホン停止手段５００を設けるもの本発明の範囲に包含される。
【００７６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１０：大便器本体
１０１：上面
１１０：ボウル部
１２０：リム部
１３０：導水路
１３１：入口
１３２：第一導水路
１３３：吐水部
１３４：第二導水路
１３５：吐水部
１４０：排水トラップ管路
１４１：上昇流路
１４２：下降流路
２０：タンク
２０１：上蓋
２１０：第一タンク部
２１１：底壁
２１２：開口
２１３：前側壁面
２１４：左側壁面
２２０：第二タンク部
２２１：底壁
２３１：給水管
２３２：定流量弁
２３３：主弁
２３４：パイロット弁
２３５：バキュームブレーカー
２３６：手動レバー
２３７：伝達機構
２３８：フロート
２３９：接続管
２４０：隔壁
２４１：開閉窓
２６０：小タンク
３００：ジェットポンプユニット
３１０：ノズル
３１１：噴射口
３２０：スロート管
３２１：吸引口
３２２：上昇部
３２３：屈曲部
３２４：下降部
３２５：接続部
３３０：オーバーフロー管
４００：内装部材
５００：サイホン停止手段
５１０：剥離部（切欠き）
ＦＴ：水洗大便器装置
ＳＷ：排水管
ＷＴ：封水
ＨＬ：剥離した水の流れ
【図１】
0006421916.tif 000002
【図２】
0006421916.tif 000003
【図３】
0006421916.tif 000004
【図４】
0006421916.tif 000005
【図５】
0006421916.tif 000006
【図６】
0006421916.tif 000007
【図７】
0006421916.tif 000008